(57)【要約】【課題】  アップロード対象となる画像データを抜き取ることなく、簡単にアップロードすることを可能とする。【解決手段】  複写機は、アップロード先を示すアップロード先情報及びアップロード対象となる画像データを特定するための特定情報を、原稿画像の画像データから取得する。次に、複写機は、特定情報に基づいて、原稿画像の画像データからアップロード対象となる画像データを抽出する（ステップＳ８０３）。そして、複写機は、抽出されたアップロード対象となる画像データを、アップロード先情報に示されるアップロード先にアップロードする（ステップＳ８０７）。【選択図】  図８
2009296163.tif 000002
【特許請求の範囲】
【請求項１】
アップロード先を示すアップロード先情報及びアップロード対象となる画像データを特定するための特定情報を、原稿画像の画像データから取得する取得手段と、
前記特定情報に基づいて、前記原稿画像の画像データからアップロード対象となる画像データを抽出する抽出手段と、
前記抽出手段により抽出されたアップロード対象となる画像データを、前記アップロード先情報に示されるアップロード先にアップロードするアップロード手段とを有することを特徴とする情報処理装置。
【請求項２】
前記特定情報は、前記原稿画像の画像データにおけるアップロード対象となる画像データの範囲を示す情報を含むことを特徴とする請求項１に記載の情報処理装置。
【請求項３】
前記取得手段は、一つのアップロード対象となる画像データに対して、複数のアップロード先情報を取得することが可能であることを特徴とする請求項１又は２に記載の情報処理装置。
【請求項４】
前記原稿画像に対して貼付される前記アップロード先情報及び前記特定情報を印刷させる印刷制御手段を更に有することを特徴とする請求項１乃至３の何れか１項に記載の情報処理装置。
【請求項５】
前記印刷制御手段は、前記アップロード先情報及び前記特定情報の複数の組を一つの印字領域にまとめて印刷させることを特徴とする請求項４に記載の情報処理装置。
【請求項６】
情報処理装置による情報処理方法であって、
アップロード先を示すアップロード先情報及びアップロード対象となる画像データを特定するための特定情報を、原稿画像の画像データから取得する取得ステップと、
前記特定情報に基づいて、前記原稿画像の画像データからアップロード対象となる画像データを抽出する抽出ステップと、
前記抽出ステップにより抽出されたアップロード対象となる画像データを、前記アップロード先情報に示されるアップロード先にアップロードするアップロードステップとを含むことを特徴とする情報処理方法。
【請求項７】
アップロード先を示すアップロード先情報及びアップロード対象となる画像データを特定するための特定情報を、原稿画像の画像データから取得する取得ステップと、
前記特定情報に基づいて、前記原稿画像の画像データからアップロード対象となる画像データを抽出する抽出ステップと、
前記抽出ステップにより抽出されたアップロード対象となる画像データを、前記アップロード先情報に示されるアップロード先にアップロードするアップロードステップとをコンピュータに実行させるためのプログラム。
【発明の詳細な説明】
【技術分野】
【０００１】
本発明は、原稿画像に含まれる画像の画像データを所望のアップロード先にアップロードするための技術に関するものである。
【背景技術】
【０００２】
従来技術として、原稿画像をデジタル化して保存する場合、処理内容が含まれる２次元コードを原稿画像と同時にスキャンを行い、２次元コードから処理内容のデコードを行った後、処理内容が示すサービスを実行する技術が存在する（例えば、特許文献１参照）。
【０００３】
【特許文献１】特開２０００−１５５８３７号公報
【発明の開示】
【発明が解決しようとする課題】
【０００４】
しかしながら、従来技術では、原稿画像上に記録される複数の処理対象となる矩形画像に対して個別にアップロード先を指定することができなかった。例えば、アルバムに収めている複数の写真（矩形画像）をそれぞれ個別にデジタル化し、コンテンツサーバにアップロードしたい場合、それぞれの写真をアルバムから抜き取り、各写真に対してスキャン操作を行う必要があった。また、一枚の写真を複数のコンテンツサーバにアップロードしたい場合、一度写真をデジタル化した後にアップロード先を選択してアップロードを行うか、アップロード先毎にスキャン操作を行う必要があった。その結果、写真の枚数が多いほどユーザが手で操作する回数が多くなり、効率的ではなく、また誤操作を発生させる原因にもなる。
【０００５】
そこで、本発明の目的は、アップロード対象となる画像データを抜き取ることなく、簡単にアップロードすることを可能とすることにある。
【０００６】
また、本発明の他の目的は、一つのアップロード対象となる画像データを簡単に複数のアップロード先にアップロードすることを可能とすることにある。
【課題を解決するための手段】
【０００７】
本発明の情報処理装置は、アップロード先を示すアップロード先情報及びアップロード対象となる画像データを特定するための特定情報を、原稿画像の画像データから取得する取得手段と、前記特定情報に基づいて、前記原稿画像の画像データからアップロード対象となる画像データを抽出する抽出手段と、前記抽出手段により抽出されたアップロード対象となる画像データを、前記アップロード先情報に示されるアップロード先にアップロードするアップロード手段とを有することを特徴とする。
本発明の情報処理方法は、情報処理装置による情報処理方法であって、アップロード先を示すアップロード先情報及びアップロード対象となる画像データを特定するための特定情報を、原稿画像の画像データから取得する取得ステップと、前記特定情報に基づいて、前記原稿画像の画像データからアップロード対象となる画像データを抽出する抽出ステップと、前記抽出ステップにより抽出されたアップロード対象となる画像データを、前記アップロード先情報に示されるアップロード先にアップロードするアップロードステップとを含むことを特徴とする。
本発明のプログラムは、アップロード先を示すアップロード先情報及びアップロード対象となる画像データを特定するための特定情報を、原稿画像の画像データから取得する取得ステップと、前記特定情報に基づいて、前記原稿画像の画像データからアップロード対象となる画像データを抽出する抽出ステップと、前記抽出ステップにより抽出されたアップロード対象となる画像データを、前記アップロード先情報に示されるアップロード先にアップロードするアップロードステップとをコンピュータに実行させることを特徴とする。
【発明の効果】
【０００８】
本発明においては、原稿画像の画像データからアップロード先情報及び特定情報を取得する。そして、特定情報に基づいて原稿画像の画像データからアップロード対象となる画像データを抽出し、アップロード先情報に示されるアップロード先にアップロードするように構成している。従って、本発明によれば、アップロード対象となる画像データを抜き取ることなく、簡単にアップロードすることが可能となる。
【０００９】
また、本発明においては、一つのアップロード対象となる画像データに対して、複数のアップロード先情報を取得することができる。従って、本発明によれば、何度もアップロード先を選択する操作や、アップロード先毎にアップロード対象となる画像のスキャン操作を行う必要なく、一つのアップロード対象となる画像データを簡単に複数のアップロード先にアップロードすることが可能となる。
【発明を実施するための最良の形態】
【００１０】
以下、本発明を適用した好適な実施形態を、添付図面を参照しながら説明する。
【００１１】
＜第１の実施形態＞
先ず、本発明の第１の実施形態について説明する。図１は、本発明の第１の実施形態に係る情報処理システムの全体構成を示す図である。図１に示すように、本実施形態に係る情報処理システムは、複写機１００、スキャンチケットサーバ１０９及びコンテンツサーバ１１０がネットワーク１０８を介して接続される。なお、複写機１００は、本発明の情報処理装置の適用例となる構成である。
【００１２】
１０１は、複写機１００全体を制御する演算制御部としてのＣＰＵである。１０２は、外部装置等から供給されるプログラムやデータベースから取得したデータ、プログラム実行中の中間データ、生成した画像データを一時記憶する一次記憶領域としてのＲＡＭである。１０３は、印刷を行う印刷部である。１０４は、原稿画像の取り込みを行うスキャナ１０４である。１０５は、複写機１００に固定して設置された二次記憶領域としてのハードディスクであり、複写機１００を制御するプログラム、スキャンされた画像データ、及び、画像データの生成を行うためのプログラムを記憶する。１０６は、ユーザが操作を行う操作部であり、ボタンとタッチパネル付ディスプレイとで構成されている。１０７は、ネットワークアダプタであり、プログラムに従ってネットワーク１０８を通じてスキャンチケットサーバ１０９からデータを取得する。また、ネットワークアダプタ１０７は、複写機１００にて生成された画像データをコンテンツサーバ１１０に送信する。
【００１３】
ここでのスキャンチケットサーバ１０９とは、複数のスキャンチケットを管理するサーバである。また、スキャンチケットとは、スキャンに関する情報、スキャンした情報に対する処理に関する情報、スキャンした情報の送信に関する情報を含むデジタル情報である。
【００１４】
図２は、スキャンチケットのデータ構造の一例を説明するための図である。スキャンチケット２００は、以下に説明する情報で構成される。有効期限は、いつまで当該スキャンチケットが有効であるかどうかを示す情報である。ユーザＩＤは、利用者がコンテンツサーバ１１０のサービスを利用するためのＩＤを示す情報である。アップロード形式は、コンテンツサーバ１１０側が受付可能な矩形画像の画像形式を示す情報である。複写機１００は、複写機１００からコンテンツサーバ１１０への矩形画像のアップロード時に、アップロード形式に従って矩形画像の画像形式の変換を行う。アップロード先ＵＲＬは、アップロード先のコンテンツサーバ１１０のＵＲＬを示す情報である。複写機１００がこのＵＲＬに対して矩形画像のアップロードを行うことにより、該当するコンテンツサーバ１１０のデータ格納領域に対して矩形画像が送信される。アップロードパラメータは、複写機１００がコンテンツサーバ１１０に矩形画像をアップロードする際、矩形画像に付加されるパラメータ値を示す情報である。表示タイトルは、ユーザが印刷するスキャンチケットを選択する際に参照するスキャンチケットのタイトルを示す文字情報であり、この文字情報が操作部１０６において表示される。操作部１０６上では、少なくとも一つのスキャンチケットのタイトルがリスト表示される。印刷用テンプレートは、スキャンチケットを印刷する場合にどのような形式で印刷するかを示す情報である。スキャン位置は、印刷されたスキャンチケットから見たアップロード対象の矩形画像の位置を示す情報であり、原稿画像のスキャン時に使用される。スキャン位置としては、印刷されたスキャンチケットにおける何らかの基準からの矩形画像の相対位置や矩形画像の絶対位置等が挙げられる。スキャン範囲は、アップロード対象の矩形画像の範囲を示す情報である。なお、スキャン位置及びスキャン範囲は、本発明の特定情報の適用例となる構成である。また、アップロード先ＵＲＬは、本発明のアップロード先情報の適用例となる構成である。
【００１５】
図３は、操作部１０６において表示される、印刷するスキャンチケット２００を選択するために使用される選択画面３００の一例を示す図である。
【００１６】
図３に示すように、選択画面３００には、選択用ユーザインタフェース３０１とスキャンチケットのタイトル３０２との複数の組がリストとして配置される。タイトル３０２には、図２に示すスキャンチケット２００で指定されている表示タイトルが表示される。ユーザは、該当する選択用ユーザインタフェース３０１を指定することによりスキャンチケット２００を選択するに伴い、矩形画像のアップロード先を選択することになる。これにより、指定された選択用ユーザインタフェース３０１に対応するスキャンチケット２００の印刷が行われる。選択画面３００では、アップロード先のコンテンツサーバ１１０のＵＲＬ・ディレクトリ毎に、選択用ユーザインタフェース３０１及びスキャンチケットのタイトル３０２がソートされている。なお、選択画面３００上では、複数のスキャンチケットを同時に選択することが可能である。
【００１７】
図４は、スキャンチケット２００の印刷例を示す図である。スキャンチケット２００は普通紙又は専用のシール台紙４００（以下では、普通紙又は専用のシール台紙を用紙と称す）に印刷される。用紙には、図３に示す選択画面で選択されたスキャンチケット２００が図２の印刷用テンプレートに従って印刷される。本実施形態において、図２に示すスキャンチケット２００に含まれる全ての情報が２次元バーコード４０１〜４０９として印刷される。
【００１８】
図４の例では、図３に示す選択画面にて、ブログ１ ２００７／０１／０１用、ブログ１ ２００７／０１／０２用及びブログ２ ２００７／０１／０１用のスキャンチケット（アップロード先）が選択された場合の印刷結果を示している。
【００１９】
また、ブログ１ ２００７／０１／０１用、ブログ１ ２００７／０１／０２用及びブログ２ ２００７／０１／０１用のスキャンチケット夫々の印刷用テンプレートでは、３つずつの２次元バーコードを記したシールを印刷することが指定されている。従って、図４に示すように、各スキャンチケットは、３つずつ２次元バーコード４０１〜４０３、４０４〜４０６、４０７〜４０９で印刷されている。このように、各スキャンチケットが同一の用紙に印刷可能な印刷用テンプレートを持つ場合は、各スキャンチケットを同一の印刷用紙に印刷をすることで資源の効率化を図ることができる。一方、印刷用テンプレートから各スキャンチケットを同一の用紙に印刷が不可能な場合は、それぞれのスキャンチケットは別の用紙に印刷される。
【００２０】
図５は、印刷したスキャンチケット５０４〜５０７を原稿画像に貼り付けた例を示す図である。原稿画像５００中にあるアップロード対象の矩形画像５０１〜５０３に隣接するようにスキャンチケット５０４〜５０７を貼ることで、アップロード対象の矩形画像と当該矩形画像に対する設定を含めたスキャンチケットとが関係付けられる。
【００２１】
図５の例では、アルバム５００中の複数の矩形画像である写真に対してそれぞれ異なるスキャンチケットを関連付けている。図５の例では、ブログ１の１月１日にアップロードを行うためブログ１の１月１日用のスキャンチケット５０４（例えば、図４の４０１）が写真５０１の内部に貼られて関係付けられている。また、ブログ２の１月１日にアップロードを行うためブログ２の１月１日用のスキャンチケット５０５（例えば、図４の４０７）が写真５０２の外側の辺に接するように貼られて関係付けられている。写真５０３は、ブログ１の１月１日とブログ２の１月１日のどちらにもアップロードを行うものとする。そのため、ブログ１の１月１日用のスキャンチケット５０６（例えば、図４の４０２）とブログ２の１月１日用のスキャンチケット５０７（例えば、図４の４０８）とが写真５０３の外側の辺に接するように貼られている。このようにして、それぞれのスキャンチケット５０６、５０７が同一の写真５０３に対して関係付けられている。
【００２２】
スキャンチケットをアップロード対象の写真に対してどのように関連付けるかは、スキャンチケットのスキャン位置及びスキャン範囲の設定による。図２の例では、スキャン位置において「シールの四方のうちいずれかに接する辺を持つ矩形」と設定され、またスキャン範囲に「Ｌ版写真大」と設定されている。そのため、シールの四方のうちの何れかに接する辺をもつＬ版写真大の矩形画像がアップロードの対象となる。スキャン位置及びスキャン範囲は、アプリケーションにデフォルトで含まれているものの中から選ぶことにより指定する方法の他に、自分でスクリプトを作成し、スキャンチケットに含ませることで新規に指定しても良い。
【００２３】
図６は、スキャンチケットのタイトルを複写機１００の操作部１０６に表示するまでの処理を示すフローチャートである。
【００２４】
複写機１００は、ユーザから入力されたユーザＩＤ及びパスワードを基にスキャンチケットサーバ１０９へログインを行う（ステップＳ６００）。ログイン後、複写機１００は、入力されたユーザＩＤに該当し、且つ有効期限を超過していないスキャンチケットをスキャンチケットサーバ１０９からダウンロードする（ステップＳ６０１）。入力されたユーザＩＤに該当し、且つ有効期限を超過していないスキャンチケットは、当該ユーザ用のスキャンチケットであり、且つ処理（印刷）可能なスキャンチケットである。なお、ステップＳ６０１は、本発明の取得手段の一処理例である。
【００２５】
続いて、複写機１００は、スキャンチケットをダウンロードできたか否かを判定する（ステップＳ６０２）。スキャンチケットをダウンロードできた場合、複写機１００は、ダウンロードした各スキャンチケットの表示用タイトルを取得し（ステップＳ６０３）、表示用タイトルに示されるタイトルのリストを生成して操作部１０６に表示する（ステップＳ６０４）。これにより、ユーザは印刷可能なスキャンチケットを選択することが可能となる。即ち、操作部１０６には、写真のアップロード先のブログ名及び日付やホームページ名がリストとして操作部１０６に表示されるため、ユーザはリストから所望のアップロード先を選択することができる。
【００２６】
なお、ステップＳ６０２において、スキャンチケットをダウンロードできなかったと判定された場合、複写機１００は、エラー画面を表示し（ステップＳ６０５）、処理を終了する。
【００２７】
図７は、選択されたスキャンチケットを複写機１００が２次元バーコードに印刷するまでの処理を示すフローチャートである。
【００２８】
複写機１００は、操作部１０６に表示されるタイトルのリストからユーザが選択したタイトルのスキャンチケットを示す選択情報を取得する（ステップＳ７００）。
【００２９】
続いて、複写機１００は、選択情報に示されるスキャンチケット夫々の印刷用テンプレートを取得する（ステップＳ７０１）。
【００３０】
続いて、複写機１００は、印刷用テンプレートに従って、スキャンチケットに含まれる全ての情報を２次元バーコードに変換する（ステップＳ７０２）。ここで、２次元バーコードは、スキャンチケットで指定される印刷用テンプレートで印刷される。
【００３１】
続いて、複写機１００は、ステップＳ７０１で取得した印刷用テンプレートのうち、同一の印刷用テンプレートが存在するか否かを判定する（ステップＳ７０３）。同一の印刷用テンプレートが存在する場合、複写機１００は、該当するスキャンチケットを一枚の用紙にまとめて印刷できるか否かを判定する（ステップＳ７０４）。
【００３２】
該当するスキャンチケットを一枚の用紙にまとめて印刷できないと判定された場合、複写機１００は、同一の印刷用テンプレートであるか否かに関わらず、印刷用テンプレート毎にスキャンチケットを別の用紙に印刷する（ステップＳ７０５）。
【００３３】
一方、ステップＳ７０４において、該当するスキャンチケットを一枚の用紙にまとめて印刷できると判定された場合、複写機１００は、スキャンチケットを印刷用テンプレート毎にまとめる（ステップＳ７０６）。続いて、複写機１００は、まとめられた印刷用テンプレート毎にスキャンチケットを別の用紙に印刷する（ステップＳ７０７）。
【００３４】
なお、ステップＳ７０３において、夫々のスキャンチケットの印刷用テンプレートが異なると判定された場合、複写機１００は、印刷用テンプレート毎にスキャンチケットを別の用紙に印刷する（ステップＳ７０５）。なお、ステップＳ７０５、Ｓ７０７は、本発明の印刷制御手段の一処理例である。
【００３５】
ここでは、印刷用テンプレートとしてシールが指定されているため、複写機１００は、スキャンチケットをシール用の台紙４００に合わせて印刷する。ユーザは、図５に示すように、シールをアップロード対象の原稿画像に貼付する。
【００３６】
図８は、原稿画像のスキャン処理からコンテンツサーバ１１０への写真のアップロードまでの処理を示すフローチャートである。
【００３７】
複写機１００は、２次元バーコード化されたスキャンチケットが貼り付けられた原稿画像のスキャンを行い、原稿画像を画像データとして読み込む（ステップＳ８００）。
【００３８】
続いて、複写機１００は、読み込んだ画像データから全ての２次元バーコードのデータ抽出を行う（ステップＳ８０１）。なお、ステップＳ８０１は、本発明の抽出手段の一処理例である。
【００３９】
続いて、複写機１００は、処理可能な２次元バーコードが存在するか否かを判定する（ステップＳ８０２）。処理可能な２次元バーコードが存在する場合、複写機１００は、２次元バーコードのデータと２次元バーコードのスキャン位置とを内部メモリに保存する（ステップＳ８０３）。
【００４０】
続いて、複写機１００は、２次元バーコードのデータ及び２次元バーコードのスキャン位置により、アップロード対象の写真の位置及び範囲を特定し、原稿画像の画像データからアップロード対象の写真を検出する（ステップＳ８０４）。即ち、複写機１００は、２次元バーコードのデータからスキャンチケットのスキャン位置及びスキャン範囲を取得し、スキャン位置及びスキャン範囲と２次元バーコードのスキャン位置とからアップロード対象の写真を特定する。
【００４１】
続いて、複写機１００は、検出したアップロード対象の写真を画像データから切り抜く（ステップＳ８０５）。続いて、複写機１００は、切り抜いた写真を、対応するスキャンチケットで指定されているアップロード形式に変換する（ステップＳ８０６）。例えば、コンテンツサーバ１１０にアップロードされる写真のサイズ、画像形式がスキャンチケットにおいて指定されている場合、複写機１００は、写真をスキャンチケットのアップロード形式にて指定されている形式に変換する。
【００４２】
続いて、複写機１００は、原稿画像に含まれる全ての２次元バーコードに対して処理を行った後、変換した写真をスキャンチケットのアップロード先ＵＲＬで指定されているコンテンツサーバ１１０に対してアップロードする（ステップＳ８０７）。ステップＳ８０７は、本発明のアップロード手段の一処理例である。
【００４３】
なお、ステップＳ８０２において、処理可能な２次元バーコードが存在しないと判定された場合、複写機１００は、操作部１０６にエラー画面を表示して、処理を終了する。
【００４４】
以上説明したように、本実施形態によれば、ユーザはアップロード対象となる複数の写真を含む原稿画像を分解する必要がなく、夫々の写真に対して個別の条件でアップロードを行うことが可能になる。
【００４５】
＜第２の実施形態＞
次に、本発明の第２の実施形態について説明する。上述した第１の実施形態においては、図４に示すように、アップロード対象の複数の写真を夫々別の設定で一度にアップロードを行うために、アップロード先の異なるスキャンチケットをまとめてシール形式で印刷を行うものである。これに対し、本発明の第２の実施形態では、複数のアップロード先に対して同一の写真をアップロードする際に、より効率的な方法でアップロードすることが可能となる。なお、本実施形態に係る情報処理システムの構成は、図１に示す構成と同様である。
【００４６】
図９は、本発明の第２の実施形態におけるスキャンチケットの印刷例を示す図である。図９に示すように、本実施形態においては、スキャンチケットの印刷用テンプレートに専用の台紙９００が設定されている場合、その設定に従って台紙９００にスキャンチケット９０１を印刷する。このとき、一つの２次元バーコードに含めるスキャンチケットは１つではなく、複数のスキャンチケットを一つの印字領域である２次元バーコードに含めることが可能である。
【００４７】
この印刷用テンプレートは、アップロードする資料の大きさが一定の場合で、且つ複数のコンテンツサーバに対して同じ資料をアップロードする場合に有効である。例えば、各種カード会社や保険会社等に住所変更を連絡するときの資料として住民票のコピーが必要である場合、先ず、全てのアップロード先を一つの２次元バーコードに集約して台紙９００に印刷する。ユーザはこの台紙９００に住民票を貼り、スキャンを行うだけで全てのカード会社に資料を送信することができるため、より操作を簡略化することが可能となる。また、台紙９００に添付する資料の種類や詳細、注意事項を同時に印刷することにより、ユーザによる操作時のミスを防ぐことが可能となる。
【００４８】
以上のように、上述した実施形態においては、複写機１００は、原稿画像の画像データからスキャンチケットのアップロード先ＵＲＬ、スキャン位置及びスキャン範囲を取得する。そして、複写機１００は、スキャン位置及びスキャン範囲に基づいて原稿画像の画像データからアップロード対象となる画像データを抽出し、アップロード先情報に示されるアップロード先にアップロードするように構成している。従って、アップロード対象となる画像データを抜き取ることなく、簡単にアップロードすることが可能となる。
【００４９】
また、上述した実施形態においては、一つのアップロード対象となる画像データに対して、複数のアップロード先ＵＲＬを取得することができる。従って、何度もアップロード先を選択する操作や、アップロード先毎にアップロード対象となる画像のスキャン操作を行う必要なく、一つのアップロード対象となる画像データを簡単に複数のアップロード先にアップロードすることが可能となる。
【００５０】
以上説明したように、本実施形態によれば、複数のコンテンツサーバに対してアップロードを行う場合であっても、ユーザは少ない操作でミスが少ない効率的な操作を行うことが可能となる。
【００５１】
上述した本発明の実施形態を構成する各手段及び各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００５２】
また、本発明は、例えば、システム、装置、方法、プログラムもしくは記録媒体等としての実施形態も可能であり、具体的には、一つの機器からなる装置に適用してもよい。
【００５３】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００５４】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００５５】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００５６】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００５７】
【図１】本発明の実施形態に係る情報処理システムの全体構成を示す図である。
【図２】スキャンチケットのデータ構造の一例を説明するための図である。
【図３】操作部において表示される、印刷するスキャンチケットを選択するために使用される選択画面の一例を示す図である。
【図４】本発明の第１の実施形態におけるスキャンチケットの印刷例を示す図である。
【図５】印刷したスキャンチケットを原稿画像に貼り付けた例を示す図である。
【図６】スキャンチケットのタイトルを複写機の操作部に表示するまでの処理を示すフローチャートである。
【図７】選択されたスキャンチケットを複写機が２次元バーコードに印刷するまでの処理を示すフローチャートである。
【図８】原稿画像のスキャン処理からコンテンツサーバへの写真のアップロードまでの処理を示すフローチャートである。
【図９】本発明の第２の実施形態におけるスキャンチケットの印刷例を示す図である。
【符号の説明】
【００５８】
１００  複写機
１０１  ＣＰＵ
１０２  ＲＡＭ
１０３  印刷部
１０４  スキャナ
１０５  ハードディスク
１０６  操作部
１０７  ネットワークアダプタ
１０８  ネットワーク
１０９  スキャンチケットサーバ
１１０  コンテンツサーバ
２００  スキャンチケット
３００  選択画面
３０１  選択用ユーザインタフェース
３０２  タイトル
４００  普通紙又は専用のシール台紙
４０１〜４０９  スキャンチケット（２次元バーコード）
５００  原稿画像
５０１〜５０３  矩形画像（写真）
５０４〜５０７  スキャンチケット（２次元バーコード）
【図１】
2009296163.tif 000003
【図２】
2009296163.tif 000004
【図３】
2009296163.tif 000005
【図４】
2009296163.tif 000006
【図５】
2009296163.tif 000007
【図６】
2009296163.tif 000008
【図７】
2009296163.tif 000009
【図８】
2009296163.tif 000010
【図９】
2009296163.tif 000011